(57)【要約】【課題】３次元都市モデルの作成に関する必要な建物情報を統合的に管理すると共に作業進行状況を容易に管理する。【解決手段】３次元都市モデル作成における進行管理方法において、コンピュータ画面上に、選択した地図と該地図において表示されている地域の３次元都市モデル作成の進行管理に関する情報を表示させる進行管理表示処理と、前記地図に表示されている建物を選択することにより、選択された建物の建物情報及び作成進行状況を表示させる建物情報表示処理とを有することにより上記課題を解決する。【選択図】　　　　図６
2004078037.tif 000002
【特許請求の範囲】
【請求項１】
３次元都市モデル作成における進行管理方法において、
コンピュータ画面上に、選択した地図と該地図において表示されている地域の３次元都市モデル作成の進行管理に関する情報を表示させる進行管理表示処理と、
前記地図に表示されている建物を選択することにより、選択された建物の建物情報及び作成進行状況を表示させる建物情報表示処理とを有することを特徴とする３次元都市モデル作成における進行管理方法。
【請求項２】
前記進行管理表示処理は、
前記作成進行状況に基づいて、前記地図に表示されている建物に対して色又は模様で識別して表示することを特徴とする請求項１に記載の３次元都市モデル作成における進行管理方法。
【請求項３】
前記進行管理表示処理は、
前記３次元都市モデルの作成に携わる作業担当者別に、前記地図に表示されている建物に対して色又は模様で識別して表示することを特徴とする請求項１又は２に記載の３次元都市モデル作成における進行管理方法。
【請求項４】
前記進行管理表示処理は、
複数の作業工程から所定の作業工程を選択する選択段階を有し、前記選択段階の選択に基づいて、前記色又は模様で識別される前記デジタル地図情報を切替えて表示させることを特徴とする請求項１乃至３の何れか一項に記載の３次元都市モデル作成における進行管理方法。
【請求項５】
前記進行管理に関する情報及び前記建物情報は、
使用者の使用権限に基づいて、追加、変更、又は削除を行うことを特徴とする請求項１に記載の３次元都市モデル作成における進行管理方法。
【請求項６】
３次元都市モデル作成における進行管理プログラムにおいて、
コンピュータに、選択した地図と該地図において表示されている地域の３次元都市モデル作成の進行管理に関する情報を表示させる進行管理表示手順と、
前記地図に表示されている建物を選択することにより、選択された建物の建物情報及び作成進行状況を表示させる建物情報表示手順とを実行させるための３次元都市モデル作成における進行管理プログラム。
【請求項７】
前記進行管理表示手順は、
前記作成進行状況に基づいて、前記地図に表示されている建物に対して色又は模様で識別して表示することを特徴とする請求項６に記載の３次元都市モデル作成における進行管理プログラム。
【請求項８】
前記進行管理表示手順は、
前記３次元都市モデルの作成に携わる作業担当者別に、前記地図に表示されている建物に対して色又は模様で識別して表示することを特徴とする請求項６又は７に記載の３次元都市モデル作成における進行管理プログラム。
【請求項９】
前記進行管理表示手順は、
複数の作業工程から所定の作業工程を選択する選択段階を有し、前記選択段階の選択に基づいて、前記色又は模様で識別される前記デジタル地図情報を切替えて表示することを特徴とする請求項６乃至８の何れか一項に記載の３次元都市モデル作成における進行管理プログラム。
【請求項１０】
コンピュータに、前記進行管理に関する情報及び前記建物情報を、使用者の使用権限に基づいて、追加、変更、又は削除を行うように実行させることを特徴とする請求項６に記載の３次元都市モデル作成における進行管理プログラム。
【請求項１１】
請求項６乃至１０の何れか一項に記載の３次元都市モデル作成における進行管理プログラムを記録した記録媒体。
【請求項１２】
３次元都市モデル作成における進行管理サーバにおいて、選択した地図と該地図において表示されている地域の３次元都市モデル作成の進行管理に関する情報が蓄積された進行管理データベースと、
前記地図において選択された建物の建物情報及び作成進行状況が蓄積された建物情報データベースとを有することを特徴とする３次元都市モデル作成における進行管理サーバ。
【請求項１３】
前記進行管理データベース及び前記建物情報データベースは、各々使用者の認証情報と使用者毎の使用権限情報とを有し、
前記認証情報と使用権限情報に基づいて、前記進行管理データベース及び前記建物情報データベースに対するデータの追加、変更、又は削除の制限を行うことを特徴とする請求項１２に記載の進行管理サーバ。
【請求項１４】
前記進行管理データベース及び前記建物情報データベースに蓄積された建物毎の情報に基づいて、前記地図に表示されている建物に色又は模様で識別して表示することを特徴とする請求項１２又は１３に記載の進行管理サーバ。
【請求項１５】
前記進行管理データベース及び前記建物情報データベースに蓄積された前記３次元都市モデルの作成に携わる作業担当者別に、前記地図に表示されている建物に色又は模様で識別して表示することを特徴とする請求項１２乃至１４の何れか一項に記載の進行管理サーバ。
【請求項１６】
複数ある作業工程から所定の作業工程を選択する選択手段を有し、前記選択手段により選択された作業工程に基づいて、色又は模様で識別した前記地図を切替えて表示することを特徴とする請求項１２乃至１５の何れか一項に記載の進行管理サーバ。
【発明の詳細な説明】
【０００１】
【発明の属する技術分野】
本発明は、３次元都市モデル作成における進行管理方法、進行管理プログラム、進行管理プログラムを記録した記録媒体、及び進行管理サーバに係り、特にデジタル地図等の地図情報を用いて３次元都市モデルを作成するための３次元都市モデル作成における進行管理方法、進行管理プログラム、進行管理プログラムを記録した記録媒体、及び進行管理サーバに関する。
【０００２】
【従来の技術】
従来、３次元都市モデル（３次元地図）を作成（構築）するためには、個々の建物の形や見た目の風体といった情報を得るために、個々の建物についてモデル、写真、映像等の情報を取材する必要がある。
【０００３】
更に、建物の住所、名前、又はテナント名等の建物固有情報、又は建物写真や建物映像等の建物関連情報等の建物情報を収集するには、まず、取材先のリストを作成し、該リストに従って取材を行い、取材により得られた情報（以下、取材情報という）を該リストに照らし合わせることで紙媒体をファイリングしたり、あるいは電子データとしてコンピュータに保存を行う。
【０００４】
例えば、建物の写真を収集する場合、建物リストに照らし合わせた形でコンピュータ上にフォルダを作成し、そこに取材した写真（画像データ）を保存するといった方法が用いられている。
【０００５】
また、取材してきたデータを確認や閲覧する際は、データを保存した場所が示されているリストを参照して、必要とする情報がどこにあるのかを探すことになる。例えば、確認作業を行う場合は、まず、リスト上で目的とする建物の情報がどこにあるのかを探し、リスト上から目的の建物に対する取材データの保存場所を見つけ出し、その保存場所からデータを探すという作業を行うことにより目的の情報を得ることができ、それに基づいてデータを確認又は閲覧して、３次元都市モデルの作成作業を行う。
【０００６】
従来の３次元都市モデルの作成方法は、建物をコンピュータでモデリングして形を形成し、形成した建物モデルに建物写真を加工したテクスチャを貼りつけて３次元都市モデルを作成するテクスチャ処理を用いた手法が用いられている。なお、３次元都市を構築しようとした場合、作成する建物モデルの数は膨大な量になり、また、モデルを作成するのに用いた素材写真・テクスチャ・編集ファイル・モデルファイル等の建物情報の数も膨大となる。
【０００７】
更に、上述した３次元都市モデルの形成に関しては、多人数が関与することが多く、また、多人数で情報を取材する場合、全体の取材進行状況及び３次元都市モデル作成作業状況を詳細に把握するため、各人の口頭や文書により状況の確認を行っていた。
【０００８】
【発明が解決しようとする課題】
しかしながら、上述した３次元都市モデルの作成方法は、リストに従ったフォルダをリスト毎に夫々作成し、取材情報を一つずつ収めていくという単純で時間のかかる作業を行わなければならない。また、フォルダに対応したリストを紛失した場合は、取材した建物と電子データとの関係が不明瞭になるため確認や閲覧ができなくなる危険性がある。また、取材情報登録時に管理があいまいであるため、手作業による人為的ミスが発生する可能性がある。
【０００９】
更に、１つのファイルの保存場所を探す作業は、単純作業で非常に時間がかかる。例えば、確認した建物データとその周辺の建物データとを比較する場合、一つずつ全ての建物に関して同様の手順で目的とする建物情報データを取得することになるため非効率な作業となる。
【００１０】
また、データの保管及び管理は取材した担当者任せになっているため、取材データの質が不均質になり、また、責任者等が取材データ全体を把握するのは非常に困難な状況であった。更に、口頭による報告ではあいまい性があり、文書を作成するにも時間がかかるため、最新の進行状況を正確に把握するのは難しく、取材計画を立てにくいという問題がある。また、多人数で大規模に３次元都市モデルを作成する場合、データ数が膨大になるため、データの管理が必要になる。
【００１１】
本発明は、上述した問題点に鑑みなされたものであり、３次元都市モデルの作成に関する必要な建物情報を統合的に管理すると共に作業進行状況を容易に管理することができる３次元都市モデル作成における進行管理方法、進行管理プログラム、進行管理プログラムを記録した記録媒体、及び進行管理サーバを提供することを目的とする。
【００１２】
【課題を解決するための手段】
上記課題を解決するために、本件発明は、以下の特徴を有する課題を解決するための手段を採用している。
【００１３】
請求項１に記載された発明は、３次元都市モデル作成における進行管理方法において、コンピュータ画面上に、選択した地図と該地図において表示されている地域の３次元都市モデル作成の進行管理に関する情報を表示させる進行管理表示処理と、前記地図に表示されている建物を選択することにより、選択された建物の建物情報及び作成進行状況を表示させる建物情報表示処理とを有することを特徴とする。
【００１４】
請求項１記載の発明によれば、選択した地域に対応した建物の進行管理と建物情報を同時に取得することができ、３次元都市モデルの作成を効率的に行うことができる。また、作業進行の管理も容易に行うことができ、更に、作業の質が不均質にならないように地域全体を容易に把握し管理することができる。
【００１５】
請求項２に記載された発明は、前記進行管理表示処理は、前記作成進行状況に基づいて、前記地図に表示されている建物に対して色又は模様で識別して表示することを特徴とする。
【００１６】
請求項２記載の発明によれば、画面上に表示されている建物毎の３次元都市モデルの作成進行状況を容易に把握することができる。また、表示されている地域全体の作業状況を容易に把握することができ、作業管理を容易に行うことができる。
【００１７】
請求項３に記載された発明は、前記進行管理表示処理は、前記３次元都市モデルの作成に携わる作業担当者別に、前記地図に表示されている建物に対して色又は模様で識別して表示することを特徴とする。
【００１８】
請求項３記載の発明によれば、画面上に表示されている建物の作業担当者を容易に把握することができる。また、作業担当者別の作業進行状況を容易に把握し、管理することができる。
【００１９】
請求項４に記載された発明は、前記進行管理表示処理は、複数の作業工程から所定の作業工程を選択する選択段階を有し、前記選択段階の選択に基づいて、前記色又は模様で識別される前記デジタル地図情報を切替えて表示させることを特徴とする。
【００２０】
請求項４記載の発明によれば、取材工程、テクスチャ作成工程等の３次元都市モデルを作成するために必要な複数の工程別に進行状況を画面上に表示されている建物に色又は模様を切替えて表示することができるため、詳細な作業進行状況を管理することができる。
【００２１】
請求項５に記載された発明は、前記進行管理に関する情報及び前記建物情報は、使用者の使用権限に基づいて、追加、変更、又は削除を行うことを特徴とする。
【００２２】
請求項５記載の発明によれば、人為的ミスによるデータの変更、削除等の発生を低減することができ、また、データの質を安定させることができる。
【００２３】
請求項６に記載された発明は、３次元都市モデル作成における進行管理プログラムにおいて、コンピュータに、選択した地図と該地図において表示されている地域の３次元都市モデル作成の進行管理に関する情報を表示させる進行管理表示手順と、前記地図に表示されている建物を選択することにより、選択された建物の建物情報及び作成進行状況を表示させる建物情報表示手順とを実行させる。
【００２４】
請求項６記載の発明によれば、選択した地域に対応した建物の進行管理と建物情報を同時に取得することができ、３次元都市モデルの作成を効率的に行うことができる。また、作業進行の管理も容易に行うことができ、更に、作業の質が不均質にならないように地域全体を容易に把握し管理することができる。
【００２５】
請求項７に記載された発明は、前記進行管理表示手順は、前記作成進行状況に基づいて、前記地図に表示されている建物に対して色又は模様で識別して表示することを特徴とする。
【００２６】
請求項７記載の発明によれば、画面上に表示されている建物毎の３次元都市モデルの作成進行状況を容易に把握することができる。また、表示されている地域全体の作業状況を容易に把握することができ、作業管理を容易に行うことができる。
【００２７】
請求項８に記載された発明は、前記進行管理表示手順は、前記３次元都市モデルの作成に携わる作業担当者別に、前記地図に表示されている建物に対して色又は模様で識別して表示することを特徴とする。
【００２８】
請求項８記載の発明によれば、画面上に表示されている建物の作業担当者を容易に把握することができる。また、作業担当者別の作業進行状況を容易に把握し、管理することができる。
【００２９】
請求項９に記載された発明は、前記進行管理表示手順は、複数の作業工程から所定の作業工程を選択する選択段階を有し、前記選択段階の選択に基づいて、前記色又は模様で識別される前記デジタル地図情報を切替えて表示することを特徴とする。
【００３０】
請求項９記載の発明によれば、取材工程、テクスチャ作成工程等の３次元都市モデルを作成するために必要な複数の工程別に進行状況を画面上に表示されている建物に色又は模様を切替えて表示することができるため、詳細な作業進行状況を管理することができる。
【００３１】
請求項１０に記載された発明は、コンピュータに、前記進行管理に関する情報及び前記建物情報を、使用者の使用権限に基づいて、追加、変更、又は削除を行うように実行させることを特徴とする。
【００３２】
請求項１０記載の発明によれば、人為的ミスによるデータの変更、削除等の発生を低減することができ、また、データの質を安定させることができる。
【００３３】
請求項１１に記載された発明は、前記請求項６乃至１０何れか一項記載のプログラムを記録媒体に記録したものである。
【００３４】
請求項１２に記載された発明は、３次元都市モデル作成における進行管理サーバにおいて、選択した地図と該地図において表示されている地域の３次元都市モデル作成の進行管理に関する情報が蓄積された進行管理データベースと、前記地図において選択された建物の建物情報及び作成進行状況が蓄積された建物情報データベースとを有することを特徴とする。
【００３５】
請求項１２記載の発明によれば、選択した地域に対応した建物の進行管理と建物情報をデータベースから取得することができ、３次元都市モデルの作成を効率的に行うことができる。また、作業進行の管理も容易に行うことができ、更に、作業の質が不均質にならないように地域全体を容易に把握し管理することができる。
【００３６】
請求項１３に記載された発明は、前記進行管理データベース及び前記建物情報データベースは、各々使用者の認証情報と使用者毎の使用権限情報とを有し、前記認証情報と使用権限情報に基づいて、前記進行管理データベース及び前記建物情報データベースに対するデータの追加、変更、又は削除の制限を行うことを特徴とする。
【００３７】
請求項１３記載の発明によれば、人為的ミスによるデータの変更、削除等の発生を低減することができ、また、データの質を安定させることができる。
【００３８】
請求項１４に記載された発明は、前記進行管理データベース及び前記建物情報データベースに蓄積された建物毎の情報に基づいて、前記地図に表示されている建物に色又は模様で識別して表示することを特徴とする。
【００３９】
請求項１４記載の発明によれば、画面上に表示されている建物毎の３次元都市モデルの作成進行状況を容易に把握することができる。また、表示されている地域全体の作業状況を容易に把握することができ、作業管理を容易に行うことができる。
【００４０】
請求項１５に記載された発明は、前記進行管理データベース及び前記建物情報データベースに蓄積された前記３次元都市モデルの作成に携わる作業担当者別に、前記地図に表示されている建物に色又は模様で識別して表示することを特徴とする。
【００４１】
請求項１５記載の発明によれば、画面上に表示されている建物の作業担当者を容易に把握することができる。また、作業担当者別の作業進行状況を容易に把握し、管理することができる。
【００４２】
請求項１６に記載された発明は、複数ある作業工程から所定の作業工程を選択する選択手段を有し、前記選択手段により選択された作業工程に基づいて、色又は模様で識別した前記地図を切替えて表示することを特徴とする。
【００４３】
請求項１６記載の発明によれば、取材工程、テクスチャ作成工程等の３次元都市モデルを作成するために必要な複数の工程別に進行状況を画面上に表示されている建物に色又は模様を切替えて表示することができるため、詳細な作業進行状況を管理することができる。
【００４４】
【発明の実施の形態】
本発明は、コンピュータ画面上に３次元都市モデルの作成する地図と、該地図に表示されている建物の建物情報と、作成作業の進行状況を表示させることにより、作成作業を効率的に行うことができるのと同時にデータ管理・作業進行管理を容易に行うことができるための３次元都市モデル作成における進行管理方法、進行管理プログラム、進行管理プログラムを記録した記録媒体、及び進行管理サーバである。
【００４５】
次に、本発明の実施の形態について、図に基づいて説明する。
【００４６】
図１は、３次元都市モデル作成における進行管理サーバを含むネットワークの一実施例を示す図である。
【００４７】
図１は、進行管理サーバ１１と、１つ以上のクライアント端末１２−１〜１２−ｎと、例えば、インターネット等の通信ネットワーク１３とを有するように構成されている。また、進行管理サーバ１１には、ユーザ毎のユーザＩＤやパスワード等が格納されているユーザ情報、建物に関する画像データ、該建物の作業担当者等が格納されている建物関連情報、建物の住所、作業進行状況等が格納されている建物固有情報等がデータベース１４として蓄積されている。なお、データベース１４に蓄積されている各情報テーブル例については後述する。
【００４８】
また、各クライアント端末１２は、本発明におけるプログラムを実行させることによりインターネット又はＬＡＮ等の通信ネットワーク１３に接続された進行管理サーバ１１のデータベース１４を参照し、取材データの登録作業及び３次元作成作業を効率的に行うことができる。また、サーバ管理者（責任者）は、進行管理サーバ１１を用いて３次元都市モデルの作成に携わる作業担当者及び作業地域の進行状況を容易に把握することができる。
【００４９】
上述したように、通信ネットワーク１３上にデータベース１４を配置し各クライアント端末１２から同期できるようにすることにより、複数作業者が同時に建物情報（取材情報）の登録作業及び３次元都市モデル作成作業を行えるため、逐次作業による作業に比べ時間を短縮することができる。
【００５０】
また、登録された３次元都市モデル作成のための取材してきたデータや、モデルを作成するのに用いた素材写真、テクスチャ、編集ファイル、モデルファイルをデータベース１４で一元管理することができる。
【００５１】
次に、進行管理サーバ１１の装置構成例について説明する。
【００５２】
図２は、進行管理サーバの一構成例を示す図である。
【００５３】
図２の進行管理サーバ１１は、入力装置２１と、出力装置２２と、ドライブ装置２３と、記録媒体２４と、補助記憶装置２５と、メモリ装置２６と、演算処理装置２７と、データベース２８と、ネットワーク接続装置２９とを有するよう構成されており、夫々バスＢで相互に接続されている。
【００５４】
入力装置２１は、進行管理サーバ１１の使用者が操作するキーボード及びマウスを有しており、進行管理サーバ１１及び／又はクライアント端末１２進行管理サーバ１１に各種操作信号を入力する。
【００５５】
出力装置２２は、進行管理サーバ１１を操作するのに必要な各種ウィンドウやデータ等を表示するディスプレイを有し、実行プログラムに基づいて表示される。ここで、本発明において、進行管理サーバ１１にインストールされる実行プログラムは、例えば、ＣＤ−ＲＯＭ等の記録媒体２４等により提供される。プログラムを記録した記録媒体２４は、ドライブ装置２３にセットされ、実行プログラムが、記録媒体２４からドライブ装置２３を介して補助記憶装置２５にインストールされる。補助記憶装置２５は、インストールされた実行プログラムを記憶し、作業時には、出力装置２２のディスプレイから実行プログラムのアイコンをマウスでクリックすることにより、ソフトウェアがメモリ装置２６に格納され、演算処理装置２７はメモリ装置２６により読み出され格納されている実行プログラムにしたがって３次元都市モデルの作成に係る処理を実行する。
【００５６】
また、プログラムの実行中に必要になった建物情報は、データベース２８から取得し、登録されるデータはデータベース２８に蓄積される。また、ネットワーク接続装置２９は、通信ネットワーク１３を介してクライアント端末１２に接続することができる。なお、ネットワーク接続装置２９は、有線でも無線でもよく、クライアント端末１２との接続が可能であればよい。
【００５７】
また、クライアント端末１２の構成は、図２に示した進行管理サーバ１１の構成にデータベース２８を除いた構成である。
【００５８】
なお、構成図において、例えば、画像データを登録する場合は、デジタルカメラにより撮影された画像データはデジタルカメラ内の記憶装置（メモリ）に保存されているため、デジタルカメラを直接バスＢに接続し、画像データをクライアント端末１２あるいはデータベース１４に取り込み登録する。また、ＧＰＳ（Ｇｌｏｂａｌ　Ｐｏｓｉｔｉｏｎｉｎｇ　Ｓｙｓｔｅｍ）等の位置情報測定装置を使用して建物の位置情報を取得する場合は、該位置情報測定装置をバスＢに接続することでデータをクライアント端末１２及び／又はデータベース１４に取り込む。
【００５９】
なお、この他の画像データの入力方法として、スキャナにより写真等を入力する方法がある。この場合は、ドライブ装置２３はスキャナとしてもよい。また、ＣＤ−ＲＯＭやＭＯ等の記憶媒体２４に予めデータを蓄積してドライブ装置２３により取り込んでもよい。更に、画像データだけでなく、音声データや動画データも建物関連情報として取り込み登録することができる。
【００６０】
なお、クライアント端末１２はパーソナルコンピュータやＰＤＡ（Ｐｅｒｓｏｎａｌ　Ｄｉｇｉｔａｌ　Ａｓｓｉｓｔａｎｔｓ）等を用いることができる。
【００６１】
次に、データベース１４に蓄積されている各種情報について説明する。図３は、データベース１４に格納されているテーブルの一例の図である。
【００６２】
図３（ａ）は、ユーザ情報テーブルであり、項目として「ユーザＩＤ」、「パスワード」、「担当者名」、「ステータス（権限情報）」、及び「担当者色情報」等が蓄積されている。図３（ａ）は、本発明におけるプログラムを使用するためのログオン時や、建物の担当者を把握する際に参照される。また、図３（ｂ）は、建物関連情報テーブルであり、項目としては、「建物ＩＤ」、「関連情報データの格納先」、「コメント」、「登録日付」、「作業者名（ＵＩＤ）」、及び「登録タイプ」等が蓄積されている。各建物の３次元都市モデルを作成するための必要な関連情報と該建物の作業担当者を把握する場合に参照される。なお、図３（ｂ）においては、１つの建物ＩＤに対する関連情報が複数ある場合は、複数のレコードが作成される。
【００６３】
また、図３（ｃ）は、建物固有情報テーブルであり、項目として、「建物ＩＤ」、「建物住所」、「建物情報」、及び各作業工程の進行状況を示した「ステータス情報」等が蓄積されている。図３（ｃ）は、建物情報と建物毎の３次元都市モデル作成作業の進行状況について把握する場合に参照させる。
【００６４】
なお、上述の説明では、１つのデータベースに複数のテーブルを有する構成になっているが、本発明において、各テーブルの項目及び、データベースの構成は、この限りではなく、例えば、上述したテーブル（図３（ａ）〜（ｃ））を夫々データベースとして蓄積してもよく、また、ユーザ情報テーブルの項目を建物関連情報テーブルと建物固有情報テーブルに含ませてもよい。
【００６５】
次に、本発明における３次元都市モデル作成の流れについてフローチャートを用いて説明する。なお、説明を容易にするため、クライアント端末１２−１を用いた本発明の実施の形態について説明するが、他のクライアント端末（１２−２〜１２−ｎ）でも同様に実行することができ、また、３次元都市モデル作成サーバ１１でも本発明におけるソフトウェアをインストールすることで、同様の処理を行うことができる。
【００６６】
図４は、本発明における３次元都市モデル作成処理手順を示す一例のフローチャートである。
【００６７】
図４において、まず、入力装置２１のマウス等を用いて専用のアイコン等をクリックすることによりプログラムが実行される（Ｓ０１）。なお、他の方法としては、ブラウザにより通信ネットワーク１３を介して進行管理サーバ１１にアクセスし、進行管理サーバ１１にインストールされているプログラムを実行させてもよい。次に、Ｓ０１により演算処理装置２７はメモリ装置２６により読み出され格納されているプログラムにしたがって進行管理サーバ１１にアクセスするためのユーザＩＤとユーザパスワードを入力するログイン処理を行う（Ｓ０２）。
【００６８】
ここで、Ｓ０２のログイン処理の流れをフローチャートを用いて説明する。
【００６９】
図５は、ログイン処理の一例のフローチャートである。
【００７０】
図５のログイン処理において、まず、実行プログラムにてクライアント端末１２−１の出力装置２２のディスプレイ上に表示される「ユーザＩＤ・パスワード入力エリア」にユーザＩＤ（ＵＩＤ）及びパスワードを入力する（Ｓ２１）。
【００７１】
Ｓ２１にて、ＵＩＤ及びパスワードが入力されると、演算処置装置２７は、ネットワーク接続装置２８から通信ネットワーク１３を介して進行管理サーバ１１に接続し、データベース１４内にあるユーザ情報テーブル（図３（ａ））を参照し（Ｓ２２）、認証の確認を行う（Ｓ２３）。認証の結果システムの利用が可能であれば、ユーザ情報テーブル内に格納されている「ステータス」を取得し、当該ユーザの使用制限を行う（Ｓ２４）。
【００７２】
「ステータス」には、予めユーザ毎に管理者、正社員、契約社員、バイト等の区分けが行われており、その区分けにしたがって使用できる範囲が設定されている。例えば、ユーザが契約社員であれば、画像の登録しか行うことができないように設定することができる。また、管理者であれば、ユーザの登録・削除・ユーザの使用制限を変更することができ、また、入力画像の登録・変更・削除、ステータス情報の変更を行うことができる。
【００７３】
また、Ｓ２３にて認証の結果、ユーザ情報テーブルに一致するものが格納されていなければ、エラー処理を行う（Ｓ２５）。Ｓ２５のエラー処理では、例えば、ユーザ認証の結果、システムを利用できない旨のメッセージをクライアント端末１２−１に送信する。クライアント端末１２−１は、ネットワーク接続装置２８から受け取ったメッセージをメモリ装置２６に格納した後、演算処理装置が、出力装置２２を用いてメッセージを表示させて、クライアント端末１２−１の使用者に認証エラーがあったことを通知する。
【００７４】
Ｓ０２のログイン処理によりユーザ認証されると、進行管理サーバ１１は、クライアント端末１２−１の出力装置２２（ディスプレイ）に、図６に示すような進行管理画面を表示させる。図６は、進行管理画面の一例のイメージ図である。
【００７５】
図６の画面上で、３次元都市モデルの作成を行うための処理の選択を行う（Ｓ０３）。選択では、取材情報の登録及び進行状況の確認を行うことができる取材進行処理と（Ｓ０４）、既存のソフトと連動して３次元都市モデル形状に取材により取得した画像を貼り付けるテクスチャ及びテクスチャの進行状況の登録・確認を行うテクスチャ処理と（Ｓ０５）、既存のテクスチャ処理データから３次元都市モデル地図を作成するソフトと連動させることができる３次元都市モデル作成と作成処理の進行状況の登録・確認を行う３次元モデル作成処理（Ｓ０６）との中から必要な処理を選択して処理を実行する。Ｓ０４からＳ０６のうち何れかの処理を終了後、処理継続して行うかを判断し（Ｓ０７）、処理が終了していなければＳ０３からの処理を繰り返し行う。また、処理を継続する必要がなければ処理を終了する。
【００７６】
ここで、図６の進行管理画面６０について詳細に説明する。
【００７７】
図６の進行管理画面６０は、処理選択エリア６１と、デジタル地図表示エリア６２と、縮小画像表示エリア６３と、画像情報エリア６４と、コメントエリア６５と、画像エリア６６と、建物情報表示エリア６７と地図表示内容表示エリア６８と、ステータス表示エリア６９とを含んでいる。なお、上述したエリアの配置は図６に示す限りではなく、例えば、各エリアが別ウィンドウで表示されてもよい。
【００７８】
作業選択エリア６１は、デジタル地図表示エリア６２に表示させる地域（例えば、千代田区、渋谷区等）を選択するための地図ボタン７１と、地図ボタン７１により選択されデジタル地図表示エリア６２に表示されている地域（地図）の取材進行情報を色分けあるいは模様分けして表示させるための取材進行ボタン７２と、取材により取得した画像データを建物の３次元形状に貼り付ける処理を行い、テクスチャ処理の進行状況を色分けあるいは模様分けして表示させるためのテクスチャボタン７３と、３次元都市モデルの作成進行状況を色分けあるいは模様分けして表示するための３次元作成ボタン７４と、処理を終了させる終了ボタン７５とを有するよう構成されている。なお、ボタンの種類はこの限りではなく、他の作業工程もしくは特別な作業工程を有する場合のボタンを有してもよい。これにより、容易に３次元都市モデルの作成を効率よく行うことができ、また、各作業工程毎の進行管理を容易に行うことができる。
【００７９】
ここで、各ボタンの処理について詳しく説明する。地図ボタン７１は、マウス等によりクリックすると、既に作成されているデジタル地図から３次元都市モデルを作成するための地域（例えば、千代田区、渋谷区等）を選択し、デジタル処理表示エリア６２に表示する。デジタル表示エリア６２に表示された地域は、拡大及び縮小することができ、また、地図の移動も行うことができる。
【００８０】
取材進行ボタン７２は、クリックされると、各建物に関する取材進行状況を色分けあるいは模様分けして表示する。取材進行状況は、図３（ｃ）に示した建物固有情報テーブルの建物ＩＤに対応する「ステータス１」を参照し、例えば、「ステータス１」が「ＯＫ」であれば、デジタル地図表示エリア６２に表示されている建物を赤色で表示し、「未着手」であれば、緑色というように色分けして表示する。なお、色分けの他にも斜線等の模様により区分けさせてもよく、色分けと模様分けを混同させてもよい。そうすることで、地図上の取材の進行情報を画面上で容易に把握することができる。
【００８１】
更に、デジタル地図表示エリア６２に表示されている建物を選択（クリック）することで、取材情報を閲覧（確認）することができ、ユーザの権限があれば、取材情報の登録、変更、又は削除を行うことができる。
【００８２】
例えば、所定の建物６２−１を選択（クリック）すると、進行管理サーバ１１は、選択された建物６２−１の建物ＩＤをキーにデータベース１４に蓄積されている建物関連情報テーブル（図３（ｂ））を参照し、「関連情報の格納先」から画像データを取得し取材情報をクライアント端末１２−１の出力装置２２の縮小画面表示エリア６３に表示する。また、建物固有情報テーブル（図３（ｃ））を参照し、建物ＩＤと一致する建物の住所や該建物内のテナント等の建物固有情報をクライアント端末１２−１の出力装置２２の建物情報表示エリア６７に表示する。縮小画面表示エリア６３には、建物６２−１を正面、横等の多数の角度から撮影した画像データが縮小されて表示される（６３−１〜６３−ｎ）。縮小サイズは、縮小画面表示エリア６３に収まるように縮小されるが、複数の画像データを効率的に確認できる縮小サイズであればよい。また、ファイル名を画像データと共に表示させてもよい。
【００８３】
更に、縮小された複数の画像データのうち、特定の画像データ（例えば、（画像６３−２）を選択すると、建物関連情報テーブル（図３（ｂ））を参照し、取材した作業者名、取材日付を取得し、画像情報エリアに表示する。また、画像６３−２に対するコメント情報があれば、コメントエリア６５に表示する。これにより、作業状況の詳細なデータを取得することができ、均質で高精度な３次元都市モデルを作成することができる。また、画像６３−２は、画像エリア６６にも表示され画像の拡大、縮小を行うことができるため、画像の内容、質を容易に把握することができる。
【００８４】
次に、画像、映像、又は音声等の取材データを登録する場合について、図を用いて説明する。例えば、建物６２−１をダブルクリックにより選択すると、進行管理サーバ１１は、クライアント端末１２−１の出力装置２２（ディスプレイ）に図７に示す登録フォームを表示させる。図７は、本発明における登録フォームの一例を示す図である。なお、説明を容易にするため、使用者が登録処理を行う権限を有しているものとするが、使用者に登録権限がない場合は、建物６２−１をダブルクリック時に実行プログラムは、クライアント端末１２−１の出力装置２２に登録できない旨のエラーメッセージを出力する。
【００８５】
図７の登録フォーム８０は、取材画像表示エリア８１と、コメント入力エリア８２と、取材データ識別エリア８３と、画像選択ボタン８４と、登録ボタン８５と、キャンセルボタン８６とを有するように構成されている。
【００８６】
まず、画像選択ボタン８４を選択（クリック）すると、ファイル選択ダイアログが表示され、クライアント端末１２−１側にある画像データを選択する。選択された画像データは取材画像表示エリア８１に表示される。取材画像表示エリア８１に表示された画像データは、拡大、縮小することができる。なお、画像データの選択方法はこの限りではなく、例えば、画面上の他のエリアに表示された画像データファイルのアイコンを、マウスでドラッグして取材画像表示エリア８１上に移動させることで該画像データファイルを選択し、取材画像表示エリア８１に表示することもできる。
【００８７】
次に、選択された画像に対するコメントを入力装置２１（キーボード）により入力する。また、画像データの種別を取材データ識別エリア８３により選択する。なお、図７では、識別を「取材写真」、「参考写真」、及び「ｍｏｖｉｅ　ｆｉｌｅ」とに分けているが、識別はこの限りではなく、例えば、音声ファイルであれば、「ｓｏｕｎｄ　ｆｉｌｅ」の識別を有していてもよく、また、ラジオボタンによる選択ではなくコンボボックスを有する構成にして、そこから選択してもよい。
【００８８】
上述した設定を完了すると、登録ボタン８５を選択し、取材情報の登録を行う。登録された取材情報は、データベース１４の建物情報関連情報テーブル（図３（ｂ））に登録される。この場合、初めに選択した建物の建物ＩＤと、作業者のＵＩＤと、画像データの撮影日付も同時に取得し、データベース１４に登録する。また、「関連情報の格納先」は、画像データを進行管理サーバ１１に通信ネットワーク１３を介して送信し、進行管理サーバ１１が任意に設定してもよく、サーバ管理者が予め設定した画像データの登録フォルダに蓄積されてもよい。また、クライアント側で蓄積しておいてもよい。また、キャンセルボタン８６を選択することで、登録処理を途中で終了することができる。登録フォーム８０を用いることで取材情報の登録を容易に行うことができる。
【００８９】
また、既にデータベース１４に登録されている取材情報を変更あるいは削除する場合は、縮小画像表示エリア６３に表示された特定の縮小画像（例えば、画像６３−３）をダブルクリックにより選択することで、登録フォーム８０の同様の変更・削除フォームが表示され、登録ボタン８５の替わりに変更ボタンを有し、更に、削除ボタンを有することで選択した画像データ及び画像データに関連する情報を変更及び削除することができる。
【００９０】
更に、画像情報の登録及び変更は、時刻と位置座標を同時に計測できるＧＰＳのような装置を用いて、取材（画像）情報を読み込ませることにより、取材情報が作成された時刻と、建物の位置情報から複数の画像情報を自動的に該当する建物に割当てることができる。
【００９１】
次に、作業担当者（使用者）は、建物情報毎の進行状況（ステータス）をステータス表示エリアにて設定する。ステータス表示エリア６９は、デジタル地図表示エリアに表示されている地域から選択した建物に対する各工程毎のステータスを設定する。図６では、ステータス表示エリア６９に、取材進行ボックス６９−１と、テクスチャ進行ボックス６９−２と、３次元モデル作成ボックス６９−３とを有しているが、各工程内容は、上述の限りではなく、追加・変更を行うことができるが、主に処理選択エリア６１の選択の種類と同様のステータスを設定する。
【００９２】
例えば、建物６２−１の取材作業の進行状況（ステータス）がＯＫであれば、取材進行ボックス６９−１にＯＫを設定する。なお、各ボックスには、「ＯＫ」、「未着手」、「途中」等のステータス種別を選択することができるように予め設定されている。次に、作業担当者が種別を選択すると設定された種別に対応した色あるいは模様が選択した建物に表示される。例えば、「ＯＫ」の場合は建物を該当する建物を赤色にすると共に取材進行ボックス６９−１内も赤色にする。
【００９３】
上述のステータスの設定を３次元都市モデル作成に携わる作業担当者が、夫々の建物毎に設定することにより、デジタル地図表示エリア６２に表示されている地域の進行状況を容易に把握し、管理することができる。
【００９４】
ここで、もし、最高責任者である使用者がクライアント端末１２から進行管理プログラムを利用してデジタル地図表示エリア６２の地域の色分けあるいは模様分けされた建物のうち、取材進行ボックス６９−１が「ＯＫ」であったとしても、責任者が途中であると判断した場合は、使用権限により取材進行ボックス６９−１を「途中」に変更することができる。これにより、品質を均質に保つことができ、また、作業担当者全員の管理を容易に行うことができる。
【００９５】
なお、ここで設定された取材作業のステータスは、データベース１４の建物固有情報テーブルの「ステータス１」に蓄積される。
【００９６】
次に、テクスチャボタン７３の処理内容について説明する。テクスチャ処理は上述したように、取材により取得した画像データを建物の３次元形状に貼り付ける処理を行い、テクスチャ処理の進行状況を色分けあるいは模様分けして表示させる。具体的にはテクスチャボタン７３を選択（クリック）すると、デジタル地図表示エリア６２に表示された地域にある建物毎の進行状況（ステータス）が色分けあるいは模様分けされて建物に反映されて表示される。
【００９７】
テクスチャ状況のステータスは、データベース１４の建物固有情報テーブルにある「ステータス２」から取得し地図上に反映される。更に、テクスチャ状況が反映されたデジタル地図から特定の建物を選択すると、建物に該当する画像データ、及び建物情報が縮小画像表示エリア６３、建物情報表示エリア６６に表示される。
【００９８】
また、特定の建物をダブルクリックにより選択することにより、建物の３次元形状に画像データを貼り付けるソフトウェアが起動し、テクスチャ処理を容易に行うことができる。また、前記ソフトウェアと連動させることで、３次元都市モデルの作成作業を容易に行うことができる。
【００９９】
更に、建物毎のテクスチャ処理の進行状況（ステータス）は、テクスチャ進行ボックス６９−２により設定することができる。設定されたステータスは、データベース１４の建物固有情報テーブルの「ステータス２」に蓄積される。また、設定されたステータスに対応する色あるいは模様がテクスチャ進行ボックス６９−２内にも反映されるため、地図上の建物とステータスの比較を容易に行うことができる。
【０１００】
次に、モデル作成ボタン７４の処理内容について説明する。３次元モデルの作成は上述したように、３次元都市モデルの作成進行状況を色分けあるいは模様分けして表示する。３次元都市モデルの作成についても、建物毎にステータスを建物固有情報テーブルの「ステータス３」より取得して表示することができ、また、３次元モデル作成ボックス６９−３にて設定することができるため、設定条件に基づいて色分けあるいは模様分けして建物に反映させることで進行状況を容易に把握し、管理することができる。また、設定されたステータスに対応する色あるいは模様が３次元モデル作成ボックス６９−３内にも反映されるため、地図上の建物とステータスの比較を容易に行うことができる。
【０１０１】
なお、作業工程は上述した限りではなく、例えば、野球場、テーマパーク、又は巨大ビル等の特徴のある建造物に対してのみ３次元都市モデルの作成を行う「ｌａｎｄｍａｒｋ」工程や、屋上看板、ネオンサイン、又は建物看板に特徴のあるもののみ３次元都市モデルの作成を行う「ｂｉｌｌｂｏａｒｄ」工程や、街区計画地域にのみ３次元都市モデル作成を行う「街区計画」工程等、様々な工程を設定することができる。
【０１０２】
上述したような作業工程のステータスを工程毎に、デジタル地図表示エリア６２に切り替えて表示させることができるため、各工程作業の進行作業を容易に行うことができる。なお、デジタル地図表示エリア６２にどの工程が表示されているかは、地図表示内容表示エリア６８に表示されているため、表示内容を容易に知ることができる。なお、ステータス表示エリア６９は、選択した建物の各工程毎の進行状況を表示しているため、地域全体の作業進行状況を把握できるだけでなく、建物毎の進行状況も容易に把握し、管理することができる。
【０１０３】
更に、データベース１４のユーザ情報テーブル（図３（ａ））にユーザＩＤ毎の色情報（ＲＧＢ：Ｒｅｄ．Ｇｒｅｅｎ．Ｂｌｕｅ）を設定しておき、デジタル地図表示エリア６２に表示される地域の建物にユーザ（作業担当者）の色情報を反映させることで、建物毎の作業担当者を容易に把握することができる。なお、色情報の他にも模様も設定しておけば模様情報をデジタル地図表示エリア６２に表示されている地域の建物に反映させることができる。
【０１０４】
また、３次元都市モデルの作成を携わる作業担当者が本発明を利用する場合は、最初に入力するＵＩＤ及びパスワードを進行管理サーバ１１がメモリ装置２６に格納しておき、データベース１４にある各種建物情報のＵＩＤに該当する部分のみのステータス情報（色分け、模様分け）をデジタル地図表示エリア６２に表示されている地域の建物に反映させることで、作業担当者は、自分の担当している建物の進行状況のみを容易に把握することができ、また、作業を効率的に行うことができる。
【０１０５】
ここで、上述した進行管理画面６０の具体的な実施画面例を図８に示す。
【０１０６】
図８は、本発明における進行管理画面の一実施例を示す図である。
【０１０７】
図８の構成については、図６とほぼ同様であるため、説明を省略するが、図８に示すように、メニューバー９１を設けることで処理選択等の各種設定を処理選択エリア６１にある各種ボタンを使用せずに行うことができる。また、処理選択エリア６１には、各工程毎の表示を切り替える切替ボタンを有している。また、コンボボックスに設定されている地域を選択することにより、デジタル地図表示エリアに容易に地図を表示することができる。なお、建物を選択できるデジタル地図は予め用意されている。
【０１０８】
また、縮小画像表示エリアには、テクスチャ処理又は３次元都市モデル作成処理等で作成された画像データを夫々フレーム分けして表示させることもできる。
【０１０９】
データベース１４に、建物の階数、又は電話番号等の付加情報も蓄積し、建物情報表示エリア６７に表示することにより、建物毎の詳細な情報を把握することができ、３次元都市モデルの作成における工程を効率的に行うことができる。
【０１１０】
上述したように発明によれば、建物毎に画像、映像、音声、建物情報を格納するフォルダを作業担当者が直接認識することなく、建物情報の保管・管理・登録・変更・削除ができるため、作業効率の大幅な向上が図れるとともに、誤操作による人為的ミスを低減することができる。
【０１１１】
また、データベースに登録する建物情報に作業工程毎のステータス情報を付加させて、そのステータス情報を、デジタル地図表示エリア６２に表示されている地域の建物に色分けあるいは模様分けして反映させることで、地図を一望するだけで地域全体の作業進行状況を視覚的に把握し管理できると共に、予め設定した特定の管理者又はクライアント端末１２で建物情報を確認した上でステータス情報を変更することができる機能を有することにより、データベース１４に登録した建物情報の不均質性を排除し、均質なクオリティを保持することができる。更に、ＧＰＳ等の時刻と位置情報を同時に取得できる装置に記録した取材データを読み込む機能を有することで自動的に建物と建物情報とのリンクを行いデータベース１４に蓄積することにより、なお一層の作業時間短縮を図ることができる。
【０１１２】
また、３次元都市モデルの作成に関する必要な建物情報を統合的に管理すると共に作業進行状況を容易に管理することができる３次元都市モデル作成における進行管理方法、進行管理プログラム、進行管理プログラムを記録した記録媒体、及び進行管理サーバを提供することができる。
【０１１３】
【発明の効果】
本発明によれば、３次元都市モデルの作成に関する必要な建物情報を統合的に管理すると共に作業進行状況を容易に管理することができる。
【０１１４】
また、作業担当者の作業効率の大幅な向上が図れるとともに、誤操作による人為的ミスを低減することができる。
【図面の簡単な説明】
【図１】３次元都市モデル作成における進行管理サーバを含むネットワークの一実施例を示す図である。
【図２】進行管理サーバの一構成例を示す図である。
【図３】データベースに格納されているテーブルの一例の図である。
【図４】本発明における３次元都市モデル作成処理手順を示す一例のフローチャートである。
【図５】ログイン処理の一例のフローチャートである。
【図６】進行管理画面の一例のイメージ図である。
【図７】本発明における登録フォームの一例を示す図である。
【図８】本発明における進行管理画面の一実施例を示す図である。
【符号の説明】
１１　進行管理サーバ
１２　クライアント端末
１３　通信ネットワーク
１４，２８　データベース
２１　入力装置
２２　出力装置
２３　ドライブ装置
２４　記録媒体
２５　補助記憶装置
２６　メモリ装置
２７　演算処理装置
２９　ネットワーク接続装置
６０　進行管理画面
６１　処理選択エリア
６２　デジタル地図表示エリア
６３　縮小画像表示エリア
６４　画像情報エリア
６５　コメントエリア
６６　画像エリア
６７　建物情報表示エリア
６８　地図表示内容表示エリア
６９　ステータス表示エリア
７１　地図ボタン
７２　取材進行ボタン
７３　テクスチャボタン
７４　３次元作成ボタン
８０　登録フォーム
８１　取材画像表示エリア
８２　コメント入力エリア
８３　取材データ識別エリア
８４　画像選択ボタン
８５　登録ボタン
８６　キャンセルボタン
９１　メニューバー
【図１】
2004078037.tif 000003
【図２】
2004078037.tif 000004
【図３】
2004078037.tif 000005
【図４】
2004078037.tif 000006
【図５】
2004078037.tif 000007
【図６】
2004078037.tif 000008
【図７】
2004078037.tif 000009
【図８】
2004078037.tif 000010